(57)【要約】【課題】破損された道路または伸縮連結部などのように毀損された道路の一部分を補修しようとする際に、骨材と共にシーラントを溶融させ、混合するロードシールミキサーを開示する。【解決手段】本発明の骨材およびシーラントミキサーは、骨材とシーラントが投入され、混合が行われる回転体（１００）と、回転体（１００）の入口（１０１）側に設けられ、回転体の内部に投入されたシーラントを溶融させる第１加熱手段（２００）と、回転体（１００）の底面に設けられ、シーラントを一定温度に保持する第２加熱手段（３００）と、回転体（１００）の下部に回転体を一定角度だけ傾ける回動手段（４００）と、を含む。本発明は、ミキサーを車両に設置することで作業現場へ速かに移動でき、大量の補修材（骨材とロードシール）を現場で混合して、混合時間を減らすことと共に補修に伴う作業時間を大幅短縮させる有利な効果がある。【選択図】図１
2014151320.tif 000002
【特許請求の範囲】
【請求項１】
骨材とシーラントが投入され、混合が行われる回転体（１００）と、
前記回転体（１００）の入口（１０１）側に設けられ、前記回転体の内部に投入されたシーラントを溶融させる第１加熱手段（２００）と、
前記回転体（１００）の底面に設けられ、前記シーラントを一定温度に保持する第２加熱手段（３００）と、
前記回転体（１００）の下部に、前記回転体を一定角度だけ傾ける回動手段（４００）と、
を含むことを特徴とする骨材およびシーラントミキサー。
【請求項２】
前記回転体（１００）の内部に備えられ、駆動手段（１５０）により回転されるインペラ（１１０）と、
前記回転体（１００）外面には、安定的に回転するように固定されているローラーレール（１２０）と、
さらに、前記ローラレール（１２０）に取り付けられるローラ（１２１）と、
を含むことを特徴とする請求項１に記載の骨材およびシーラントミキサー。
【請求項３】
前記第１加熱手段（２００）は、
バーナーサポート（２１１）と、
前記バーナーサポート（２１１）に回転可能に取り付けられたバーナーハンガー（２１２）と、
さらに、前記バーナーハンガー（２１２）に固定されているバーナー（２１５）と、
を含むことを特徴とする請求項１に記載の骨材およびシーラントミキサー。
【請求項４】
前記回動手段（４００）は、
前記回転体（１００）を下部から支えるベースプレート（１３０）と、
前記ベースプレート（１３０の下側から一定距離離れて配置されるサポート（２１０）と、
前記ベースプレート（１３０）とサポート（２１０）に固定されるジョイント（４１０）と、
さらに、前記ベースプレート（１３０）とサポート（２１０）の間に設けられ、前記ベースプレート（１３０）を斜めに傾けるシリンダー（４２０）と、
を含むことを特徴とする請求項１に記載の骨材およびシーラントミキサー。
【請求項５】
前記第１加熱手段（２００）のバーナー（２１５）は、シーラントが溶融されるように１３０〜２２０℃の温度で加熱され、
前記第２加熱手段（３００）は、溶融されたシーラントが硬化しないようにバーナー（２１５）より低い温度で加熱されることを特徴とする請求項１に記載の骨材およびシーラントミキサー。
【発明の詳細な説明】
【技術分野】
【０００１】
本発明は、骨材およびシーラントミキサー（Ａｇｇｒｅｇａｔｅｓ  ａｎｄ  ｓｅａｌａｎｔｓ  Ｂｌｅｎｄｅｒ）に関し、より詳しくは、覆蓋暗渠などの道路封緘、亀裂補修、伸縮連結などをするに当たって、骨材とシーラントとを混合する骨材およびシーラントミキサーに関する。
【背景技術】
【０００２】
一般的に、道路、橋梁などの土木建設現場においては、工事の特性上、コンクリート製造のための砂利、砂、セメントのような骨材の使用が必須であり、工事期間や或いは天気のような環境的な要因を考慮して、これらの骨材を適切に配合して、施工することになる。
【０００３】
このようなコンクリートの配合は、建築物の種類と規模および構造と環境条件などに応じて変わることによって、適正比率で資材を配合し、完全に混合することが重要である。
【０００４】
前記において、コンクリートの混合は、工事現場の規模によって大きく２種類の方法に分けられる。すなわち、工事規模が大きい場合には、レミコン車を用いて混合した後、現場へ運んで楽に打設することと、小規模工事の場合には、現場で作業者が自らコンクリートなどを混合して、打設する方法が用いられる。
【０００５】
そのうち、レミコン車は、多量のコンクリートを一度に混合し、現場でコンクリートを自動に打設できる利点がある一方、工事現場ではない別のところで混合し、運搬することで、運搬所要時間に伴い作業時間が遅れ、混雑した交通状況によって運搬時間が遅れる場合、混合されたコンクリートが硬化することもあるので、小規模工事の作業現場では使えない問題があった。
【０００６】
また、小規模工事の際、作業者が自ら現場でコンクリートを混合できるミキサーとしては、現場で有動可能に使用できるハンドミキサーと、モルタルミキサーおよびドラムミキサーなどを用いることになる。
【０００７】
先ず、ハンドミキサーは、一定容量の筒にセメントおよび砂などの資材を投入した後、作業者が自ら両手でミキサーを握って小容量のモーターを稼動し、前方に形成された回転刃が資材を混合させることで、作業は簡便であるが、作業時には周辺が汚れ、極少量の配合しかできず、数回の作業が不可避であるともに全工程が手作業で行われるため、作業者の疲労度が加重され、かつ工事期間の遅延および正確な資材配合が難しい弊害があった。
【０００８】
さらに、中小型配合が可能なモルタルミキサーは、輪を備える胴体フレームにドラムが設けられ、ドラム内側には、モーターにより回転するミキサー羽根が設けられ、ドラムに投入される資材を混合するものであり、ハンドミキサーに比べて、配合の供給量は増加されたが、依然として大部分の工程が手作業で行われ、精密な資材配合が難しく、製品および施工上の品質が低下する弊害があった。
【０００９】
さらに、ドラムミキサーは、ドラムの底面にミキサー刃が内設され、下側部分に備えられるモーターと連結回転して混合するものであり、配合の供給量は増加したが、ミキサー刃がバー（ｂａｒ）形態で形成されて、混合資材がミキシング刃と共に回転することによってミキシングの効率性が下がり、顔料などの添加剤を投入する際に、分散力が低く、製品および施工の品質が低下して、添加剤を投入し続けることに伴う添加量の消費で資材がさらに必要となる弊害があった。
【００１０】
一方、アスファルト、コンクリート道路などは、夏季の伸長または冬季の収縮などによって、舗装面に亀裂が発生することになり、車両により加えられる振動および衝撃荷重などによって、舗装面が破損することもあり、反復荷重によって舗装面が疲労破壊されることもある。
【００１１】
また、地下車道の伸縮連結部は、伸縮作用、車両振動および反復荷重などによって伸縮連結部の上面のアスファルト層に深刻な亀裂、陥没、破損などが発生することになり、このような損傷部位に浸透水が流入して急速な破壊が進むこともある。
【００１２】
このように、道路の一部分が破損または毀損される場合、骨材とシーラントを混合し、道路または構造物を維持・補修する場合が発生することになり、従来のハンドミキサーと、モルタルミキサーおよびドラムミキサーなどは、シーラントを加熱して溶融できない問題があった。
【発明の概要】
【発明が解決しようとする課題】
【００１３】
本発明は、前記のような問題点を解決するために案出されたものであって、本発明の目的は、破損された道路または伸縮連結部などのような毀損された道路の一部分を補修しようとする場合、骨材と共にシーラントを溶融して混合する骨材およびシーラントミキサーを提供することにある。
【００１４】
また、本発明の他の目的は、ミキサーを車両に設置することにより、速かに移動できることはもちろん、大量の補修材（骨材とシーラント）を混合して混合時間を減らすことと共に、補修に伴う作業時間を大幅に短縮させる骨材およびシーラントミキサーを提供することにある。
【課題を解決するための手段】
【００１５】
前記目的を達成するために本発明の骨材およびシーラントミキサーは、骨材とシーラントが投入され、混合が行われる回転体１００と、
前記回転体１００の入口１０１側に設けられ、前記回転体の内部に投入されたシーラントを溶融させる第１加熱手段２００と、
前記回転体１００の底面に設けられ、前記シーラントを一定温度に保持する第２加熱手段３００と、
前記回転体１００の下部に、前記回転体を一定角度だけ傾ける回動手段４００と、
を含むことを特徴とする。
【００１６】
前記回転体１００の内部に備えられ、駆動手段１５０により回転されるインペラ１１０と、
前記回転体１００の外面には、安定的に回転するように固定されているローラーレール１２０と、
さらに、前記ローラレール１２０に取り付けられるローラ１２１と、
を含むことを特徴とする。
【００１７】
前記第１加熱手段２００は、バーナーサポート２１１と、
前記バーナーサポート２１１に回転可能に取り付けられたバーナーハンガー２１２と、
さらに、前記バーナーハンガー２１２に固定されているバーナー２１５と、
を含むことを特徴とする。
【００１８】
前記回動手段４００は、前記回転体１００を下部から支えるベースプレート１３０と、
前記ベースプレート１３０の下側から一定距離離れて配置されるサポート２１０と、
前記ベースプレート１３０とサポート２１０に固定されるジョイント４１０と、
前記ベースプレート１３０とサポート２１０の間に設けられ、前記ベースプレート１３０を斜めに傾けるシリンダー４２０と、
をさらに含むことを特徴とする。
【００１９】
前記第１加熱手段２００のバーナー２１５は、シーラントが溶融されるように１３０〜２２０℃の温度で加熱され、
前記第２加熱手段３００は、溶融されたシーラントが硬化しないようにバーナー２１５より低い温度で加熱されることを特徴とする。
【発明の効果】
【００２０】
かかる本発明は、ミキサーを車両に設置することにより、作業現場へ速かに移動できることはもちろん、大量の補修材（骨材とロードシール）を現場で混合して、混合時間を減らすことと共に補修に伴う作業時間を大幅短縮させる有利な効果がある。
【００２１】
また、本発明は、高分子改質アスファルト道路封緘材であるシーラントを用いて道路を維持・補修するため、作業時間を短縮させることはもちろん、作業者の手作業が減って作業効率を上げるようになり、道路の毀損部位または伸縮連結部などを既存のアスファルト表面と同じ高さに形成することによって、路面の平坦性を著しく改善して、通行車両による振動や騒音の発生原因を解消すると共に車両の安全性や快速性を確保できる効果がある。
【図面の簡単な説明】
【００２２】
【図１】図１は、本発明の骨材およびシーラントミキサーを示した正面図である。
【図２】図２は、図１の左側面図である。
【図３】図３は、図１の右側面図である。
【図４】図４は、本発明の骨材およびシーラントミキサーの投入状態を示した正面図である。
【図５】図５は、本発明に係る骨材およびシーラントミキサーの排出状態を示した正面図である。
【発明を実施するための形態】
【００２３】
以下添付の図面を参照して、本発明の実施例を説明する。
【００２４】
本発明は、車両に搭載され、現場に投入されて作業できるミキシング装備であり、骨材とシーラントなどの材料を加熱しながら、ミキシングできる装置である。以下では、骨材およびシーラントミキシング装置または単にミキサーと呼ぶこともある。
【００２５】
図１は本発明の骨材およびシーラントミキサーを示した正面図であり、図２は図１の左側面図であり、図３は図１の右側面図であり、図４は本発明の骨材およびシーラントミキサーの投入状態を示した正面図であり、図５は本発明に係る骨材およびシーラントミキサーの排出状態を示した正面図である。
【００２６】
図１ないし図５に示されたように、本発明の骨材およびシーラントミキサーは、骨材とシーラントが投入され、混合が行われる回転体１００と、前記回転体１００の入口１０１側に設けられ、前記回転体の内部に投入されたシーラントを溶融させる第１加熱手段２００と、前記回転体１００の底面に設けられ、前記シーラントを一定温度に保持する第２加熱手段３００と、前記回転体１００の下部に、前記回転体を一定角度だけ傾ける回動手段４００と、を含む。
【００２７】
前記回転体１００は、円筒状で形成されており、一側には回転体１００の直径より小さい直径で斜めに形成され、骨材とシーラントなどとのミキシング材料が投入される入口１０１が形成されており、他側には駆動手段１５０が設けられている。
【００２８】
前記回転体１００の内部には、駆動手段１５０により回転するインペラ１１０が設けられており、前記回転体１００の入口側外面にはローラレール１２０が固定されており、ローラレール１２０は、回転体１００の両側に位置するローラ１２１が回転可能に支えている。
【００２９】
前記ローラ１２１の両側には支持台１２２が固定されており、前記支持台１２２はベースプレート１３０に固定されており、前記ベースプレート１３０の他側には駆動手段１５０が設けられている。
【００３０】
前記駆動手段１５０は、印加した電源により駆動される駆動モーターまたはガソリンなどを原料として用いるエンジンなどのような、前記回転体１００が回転させることができるものであれば十分である。
【００３１】
このような駆動手段１５０には、駆動スプロケット１５１が回転可能に取り付けられており、回転体１００には縱動スプロケット１１１が備えられ、縱動スプロケット１１１には固定軸１１２が固定されており、固定軸１１２にはインペラ１１０が固定されている。これらの縱動スプロケット１１１と駆動スプロケット１５１の間には、チェーンなどのような動力伝達手段が設けられていることはもちろんのことである。
【００３２】
また、固定軸１１２は、固定プレート１１３に回転可能に取り付けられており、固定プレート１１３は、ベースプレート１３０に垂直に固定されている。
【００３３】
前記回転体１００の入口１０１側には、回転体１００の内部に骨材と共に投入されているシーラントを溶融させる第１加熱手段２００が設けられている。前記第１加熱手段２００は、バーナーサポート２１１と、前記バーナーサポート２１１に上下移動および回転可能に取り付けられたバーナーハンガー２１２と、前記バーナーハンガー２１２に固定されているバーナー２１５とからなる。
【００３４】
本発明において、前記シーラントとは、アスファルトまたはコンクリート舗装道路、建築物、橋梁および構造物の新設および補修に亀裂補修材（ｃｒａｃｋ  ｆｉｌｌｅｒ）、目地材（ｊｏｉｎｔ  ｓｅａｌａｎｔ）、伸縮連結密封材または充填材、封緘材、防水シーリング材、バインダー、防水膜、衝撃吸収膜およびホットメルト接着剤などとして用いられるアスファルトシーラント組成物を意味するものであって、前記シーラントは通常のものを用いることにする。
【００３５】
前記シーラントに対しては、本出願人により登録されている韓国特許登録第１０−０５４６６８９号、韓国特許登録第１０−０５６９６９４号などに、その組成物が開示されているため、これについての具体的な説明は省略する。
【００３６】
前記ベースプレート１３０の下部には、サポート２１０が一定高さだけ離れた位置に固定されており、前記サポート２１０は、ミキサーを車両などに搭載できるようにするためのものである。
【００３７】
すなわち、サポート２１０は、Ｈビーム（ｂｅａｍ）またはチャンネル（ｃｈａｎｎｅｌ）等から形成されており、ミキサー全体を支えて、車両に乗せたり下ろしたりすることができるように水平を維持するように固定されている。
【００３８】
前記サポート２１０には、バーナーサポート２１１が垂直に固定されており、バーナーサポート２１１には、上下に移動するのみならず、回転するようにバーナーハンガー２１２が取り付けられている。
【００３９】
また、バーナーハンガー２１２には、水平にヘッドプレート２１３が固定されており、ヘッドプレート２１３にはバーナー２１５が設けられており、前記バーナー２１５は、供給されるガスなどの熱源を燃焼させて、一定温度を保持することによってシーラントを溶融させるものであれば十分である。
【００４０】
前記バーナー２１５は、回転体１００の内部にあるシーラントを溶融させるものであり、回転体１００の入口側の外部に設けられており、シーラントを溶融させない際には、入口１０１と隣接しないようにバーナーハンガー２１２を中心として回転させておく。
【００４１】
前記ベースプレート１３０には、シーラントを適正温度に保持するように第２加熱手段３００が設けられている。すなわち、第２加熱手段３００は、第１加熱手段２００と同じバーナーとして、回転体１００の底面に一定の距離だけ離れて設けられており、前記第２加熱手段３００はバーナー２１５より低い温度で加熱されるように設けられている。
【００４２】
さらに、ベースプレート１３０には、図４に示されたように、着脱可能に作業用支え棒１３１が設けられており、前記作業用支え棒１３１は、作業者が回転体１００に骨材またはシーラントなどを投入りしようとする場合、ベースプレート１３０に固定され、図５のように排出させようとする場合にベースプレート１３０から作業用支え棒１３１を解除することになる。
【００４３】
前記ベースプレート１３０とサポート２１０の間には、回転体１００を傾ける回動手段４００が設けられている。
【００４４】
前記ベースプレート１３０とサポート２１０には、各々一定高さを持つジョイント４１０が固定されており、これらのジョイント４１０は、固定ピン４１１により回転可能に取り付けられている。
【００４５】
また、ベースプレート１３０とサポート２１０の間には、油圧シリンダー４２０が回転可能に設けられており、油圧シリンダー４２０には、油圧シリンダー４２０の作動に応じて長さが可変するリンクアーム４２１が取り付けられている。
【００４６】
このような構成からなる本発明の骨材およびシーラントミキサーは、車両に搭載された状態で用いることになるが、ミキサーを車両にのせて移動するようになるためより速かに移動できるようになる。
【００４７】
前記ミキサーは、毀損された道路、伸縮連結部などを補修するものであって、道路の毀損された部位を、まずカッターなどの装備を用いて切り出し、切られた部位をきれいに清掃する。
【００４８】
これと同時にミキサーには、骨材と共にシーラントが適正量に混合されるように投入するようになるが、ベースプレート１３０には、作業用支え棒１３１を着脱させ、回動手段４００を作動させて、ミキサーが、図４に示されたように、回転体１００の入口１０１が上部に向かうように回転させる。
【００４９】
次いで、作業者は、骨材およびシーラントを入口１０１を通して投入することになり、骨材とシーラントの投入が完了すると、第１加熱手段２００のバーナー２１５を回転体１００同様に一定角度で傾けて、回転体１００の入口１０１に位置するように回転させながら、バーナー２１５と第２加熱手段３００を燃料供給装置と連結させてからこれらを点火させる。
【００５０】
一方シーラントは、別途の装備であるシーラントボイラーで予め加熱された状態でミキサーに投入され、前記バーナー２１５は、シーラントが溶融されるように１３０〜２２０℃の温度で加熱され、第２加熱手段３００はバーナー２１５より低い温度で加熱される。
【００５１】
一方、駆動手段１５０は、印加された電源またはエンジンにより、駆動スプロケット１５１を回転させ、駆動スプロケット１５１と縱動スプロケット１１１は、チェーンなどの動力伝達手段などに連結されており、縱動スプロケット１１１が回転して、縱動スプロケット１１１に固定されている固定軸１１２が回転することによって回転体１００およびインペラ１１０が同時に回転する。
【００５２】
回転体１００の内部にあるシーラントは、高温で加熱するバーナー２１５により溶融されながらインペラ１１０の回転によって、骨材と溶融されたシーラントが均一に混ざり合う。
【００５３】
このように、骨材とシーラントの混合が行われると、作業者は、回動手段４００を作動させることになり、かかる回動手段４００のリンクアーム４２１が図５のように伸びることによって回転体１００が回転する。
【００５４】
この時、作業用支え棒１３１は、ベースプレート１３０から脱去されており、第１加熱手段２００のバーナー２１５は、シーラントの溶融が完全に完了すると、燃焼を中止するようになる。
【００５５】
前記第２加熱手段３００は、溶融されているシーラントが硬化しないように適正温度を保持しているため、回転体１００の内部にある骨材とシーラントとが混合された補修材は、傾いた回転体１００の入口を通して排出される。
【００５６】
このように排出さした補修材は、道路の毀損された部位に置かれ、補修材を平たくならして、硬化すると、毀損された道路の維持・補修作業が完了する。
【符号の説明】
【００５７】
１００：回転体                    １０１：入口
１１０：インペラ                  １１１：縱動スプロケット
１１２：固定軸                    １１３：固定プレート
１２０：ローラーレール            １２１：ローラ
１２２：支持台                    １３０：ベースプレート
１３１：作業用支え棒              １５０：駆動手段
１５１：駆動スプロケット          ２００：第１加熱手段
２１０：サポート                  ２１１：バーナーサポート
２１２：バーナーハンガー          ２１５：バーナー
３００：第２加熱手段              ４００：回動手段
４１０：ジョイント                ４１１：固定ピン
４２０：油圧シリンダー            ４２１：リンクアーム
【図１】
2014151320.tif 000003
【図２】
2014151320.tif 000004
【図３】
2014151320.tif 000005
【図４】
2014151320.tif 000006
【図５】
2014151320.tif 000007